(57)【要約】【課題】  不完全なリセットや高速駆動による誤放電を防止し、コントラストを向上できるプラズマディスプレイパネル駆動方法を提供する。【解決手段】  プラズマディスプレイパネル駆動方法は、アドレス電圧を印加するアドレス電極（Ｘ）、アドレス電極と対向放電するスキャン電極（Ｙ）、及びスキャン電極と面放電する共通電極（Ｚ）を備えたプラズマディスプレイパネルの駆動方法であって、アドレス電極（Ｘ）に、アドレス電圧を印加する前に、壁電荷を形成するための所定レベルのバイアス電圧をパルス状に印加する段階を含む。【選択図】  図４
2007041597.tif 000002
【特許請求の範囲】
【請求項１】
アドレス電圧を印加するアドレス電極（Ｘ）、前記アドレス電極と対向放電するスキャン電極（Ｙ）、及び前記スキャン電極と面放電する共通電極（Ｚ）を備えたプラズマディスプレイパネルの駆動方法において、
前記アドレス電極（Ｘ）に、アドレス電圧を印加する前に、壁電荷を形成するための所定レベルのバイアス電圧をパルス状に印加する段階を含むことを特徴とするプラズマディスプレイパネル駆動方法。
【請求項２】
前記アドレス電極（Ｘ）に印加されるバイアス電圧が、リセット区間の一部にかけて印加されることを特徴とする請求項１に記載のプラズマディスプレイパネル駆動方法。
【請求項３】
前記アドレス電極（Ｘ）に印加されるバイアス電圧が、アドレス電圧を印加する前に、前記アドレス電圧と反対の極性方向に印加されることを特徴とする請求項１に記載のプラズマディスプレイパネル駆動方法。
【請求項４】
前記アドレス電極（Ｘ）に印加されるバイアス電圧が、アドレス電圧を印加する前に、前記アドレス電極（Ｘ）に壁電荷を形成するために所定時間印加される負電圧であることを特徴とする請求項１に記載のプラズマディスプレイパネル駆動方法。
【請求項５】
前記アドレス電極（Ｘ）に壁電荷を形成するために所定時間印加される負電圧が５０Ｖ未満であることを特徴とする請求項４に記載のプラズマディスプレイパネル駆動方法。
【請求項６】
前記アドレス電極（Ｘ）に壁電荷を形成するために所定時間印加される負電圧の維持時間が０．５〜５０μｓであることを特徴とする請求項４に記載のプラズマディスプレイパネル駆動方法。
【請求項７】
リセット区間に、前記アドレス電極（Ｘ）に前記バイアス電圧と反対の極性を有する第２バイアス電圧を印加する段階をさらに含むことを特徴とする請求項１に記載のプラズマディスプレイパネル駆動方法。
【請求項８】
前記第２バイアス電圧が５０Ｖ未満であり、その維持時間が０．５〜１００μｓであることを特徴とする請求項７に記載のプラズマディスプレイパネル駆動方法。
【請求項９】
前記アドレス電極（Ｘ）に印加されるバイアス電圧の波形が、傾斜を有して漸進的に増加又は減少する電圧波形を含むことを特徴とする請求項１に記載のプラズマディスプレイパネル駆動方法。
【請求項１０】
前記バイアス電圧の傾斜が１〜１０Ｖ／μｓであることを特徴とする請求項９に記載のプラズマディスプレイパネル駆動方法。
【請求項１１】
パネルを構成する全てのセルの壁電荷を均一に初期化するリセット段階と、
スキャン電極（Ｙ）にスキャン電圧を順次印加し、アドレス電極（Ｘ）にデータパルスを印加して、駆動されるセルを選択するアドレス段階と、
前記アドレス段階で選択されたセルの放電を維持するサステイン段階とを含み、
前記リセット段階及び前記アドレス段階で、前記アドレス電極（Ｘ）にデータパルスが印加される前に、前記データパルスと反対の極性を有するバイアス電圧が印加されることを特徴とするプラズマディスプレイパネル駆動方法。
【請求項１２】
前記バイアス電圧が前記リセット区間の一部にかけて印加されることを特徴とする請求項１１に記載のプラズマディスプレイパネル駆動方法。
【請求項１３】
前記アドレス電極（Ｘ）に印加されるバイアス電圧が５０Ｖ未満であり、その維持時間が０．５〜５０μｓであることを特徴とする請求項１１に記載のプラズマディスプレイパネル駆動方法。
【請求項１４】
前記リセット段階が、前記アドレス電極（Ｘ）に第２バイアス電圧を印加する段階をさらに含み、
前記第２バイアス電圧が、前記スキャン電極（Ｙ）に正電圧が印加される期間中に印加される正電圧であることを特徴とする請求項１１に記載のプラズマディスプレイパネル駆動方法。
【請求項１５】
前記第２バイアス電圧として印加される正電圧が５０Ｖ未満であり、その維持時間が０．５〜１００μｓであることを特徴とする請求項１４に記載のプラズマディスプレイパネル駆動方法。
【請求項１６】
前記バイアス電圧が印加される区間に、前記アドレス電極（Ｘ）に印加される信号の波形が、傾斜を有して漸進的に増加又は減少する電圧波形を示すことを特徴とする請求項１１に記載のプラズマディスプレイパネル駆動方法。
【請求項１７】
前記信号の波形の傾斜が１〜１０Ｖ／μｓであることを特徴とする請求項１６に記載のプラズマディスプレイパネル駆動方法。
【請求項１８】
スキャン電極、アドレス電極、及び共通電極がリセット区間、アドレス区間、及びサステイン区間を含む駆動区間によって駆動される３電極型プラズマディスプレイパネルの駆動方法において、
前記アドレス区間を開始した後、アドレス放電電圧を提供する前に、前記アドレス電極に負の第１バイアス電圧を印加する段階を含むことを特徴とするプラズマディスプレイパネル駆動方法。
【請求項１９】
前記リセット区間の前記スキャン電極の駆動波形に基づいて、前記駆動波形による影響を相殺する正電圧を前記アドレス電極に第２バイアス電圧として印加する段階を含むことを特徴とする請求項１８に記載のプラズマディスプレイパネル駆動方法。
【請求項２０】
前記第１バイアス電圧又は前記第２バイアス電圧が、矩形波、漸進的に増加もしくは減少するランプ区間が矩形波の開始もしくは終了領域に含まれたランプ−矩形波、並びに、漸進的に増加するランプ区間及び漸進的に減少するランプ区間が矩形波の開始及び終了領域に含まれたランプ−矩形−ランプ波の少なくとも１種類であることを特徴とする請求項１８又は１９に記載のプラズマディスプレイパネル駆動方法。
【発明の詳細な説明】
【技術分野】
【０００１】
本発明は、プラズマディスプレイパネル駆動方法に関し、特に、バイアス電圧を利用して誤放電を防止するようにしたプラズマディスプレイパネル駆動方法に関する。
【背景技術】
【０００２】
ＴＦＴ液晶表示素子（ＬＣＤ）、有機ＥＬ、ＦＥＤなどと共に次世代表示素子として脚光を浴びているプラズマディスプレイパネル（ＰＤＰ）素子は、隔壁により隔離された放電セル内でＨｅ＋Ｘｅ又はＮｅ＋Ｘｅガスの放電時に発生した１４７ｎｍの紫外線により励起されたＲ、Ｇ、Ｂの蛍光体が励起状態から基底状態に戻る際のエネルギー差による発光現象を利用する表示素子である。
【０００３】
図５は一般的な交流型プラズマディスプレイパネル素子を示す断面図である。
【０００４】
図５に示すように、プラズマディスプレイパネル素子の下板は、下部ガラス基板１上の全面に蒸着されて該下部ガラス基板１に含まれたアルカリイオンの浸透を防止する遮断膜２と、遮断膜２上の一部に形成された放電セルのアドレス電極３と、アドレス電極３を含む遮断膜２上の全面に形成された下板誘電体４と、下板誘電体４上に形成されて放電セルを隔離させる隔壁５と、隔壁５により隔離された下板誘電体４上に形成された蛍光体６とからなる。
【０００５】
また、プラズマディスプレイパネル素子の上板は、上部ガラス基板１１上に形成された透明電極１２及び該透明電極１２の抵抗値を下げるバス電極１３と、透明電極１２及びバス電極１３を含む上部ガラス基板１１上の全面に形成された上板誘電体１４と、上板誘電体１４上の全面に形成されてプラズマ放電から上板誘電体１４を保護する保護膜１５とからなる。このように形成された上板は、保護膜１５が前記下板の隔壁５及び蛍光体６に対向するように設置される。
【０００６】
このように、駆動のために３電極を使用する交流型プラズマディスプレイパネル素子の電極は、その機能によって、下板に位置するアドレス電極３、一対の透明電極１２及びバス電極１３からなり、上板に位置するスキャン電極及び共通電極に区分されるが、前記スキャン電極と前記共通電極とは、同一構造に形成されており、サステイン区間では同一機能で動作するため、これらを維持電極と通称することもある。以下、駆動方式による区分を明確にするために、アドレス電極３はＸ電極ともいい、アドレス区間でスキャンパルスを出力するスキャン電極はＹ電極ともいい、スキャン電極と同一構造を有する共通電極をＺ電極ともいう。
【０００７】
以下、前記各電極を利用した駆動方法を図６の駆動波形図を参照して説明する。
【０００８】
まず、プラズマディスプレイパネル素子の駆動サイクルは、リセット区間（必要時、消去区間をも含む）と、アドレス区間と、サステイン区間とからなるサブフレーム（ＳＦ）の繰り返しであり、前記リセット区間では各セルの壁電荷を均一に初期化し、前記アドレス区間では放電させるセルを選択して対向放電（address discharging）を行い、前記サステイン区間では選択されたセルに対する連続的な面放電（display discharge）を行う。
【０００９】
前記リセット区間では、Ｙ電極とＺ電極との間にランプ波形（傾斜を有する波形）が印加されて、各電極の壁電荷は初期化状態となる。このとき、接地電位を維持するＸ電極には所定の正電荷が蓄積される。
【００１０】
前記アドレス区間になると、前記Ｚ電極には正電圧が印加されて負電荷が蓄積され、セルが選択されるアドレス時点Ａになると、前記Ｘ電極には正電圧（アドレス電圧）が印加されて蓄積されていた正電荷を押し出し、前記Ｙ電極には負電圧が印加されて蓄積されていた負電荷を押し出すことによって得られる壁電圧と、印加されるアドレス電圧とスキャン電圧との電圧差の両方を利用して対向放電が行われる。正のアドレス電圧が印加されたセルは、サステイン区間で点灯させるセルとして選択される。
【００１１】
その後、前記サステイン区間になると、前記Ｙ電極と前記Ｚ電極との間で面放電を交互に行うことにより、対向放電で発生した放電を維持させ、このようなサステイン区間での放電度はサブフィールドレベルで調節して階調表現を行う。
【００１２】
実際のプラズマディスプレイパネル素子の駆動の開始は、前記各駆動区間のうち、発光するセルを決定するアドレス区間での対向放電であるので、正確な対向放電のために、前記アドレス区間ではスキャン波形及びアドレス波形が十分な長さ及び高い放電開始電圧で提供される。これはパネルの動作状態によって前記リセット区間での壁電荷の初期化が完全でないこともあるためであるが、特に、前記Ｘ電極は常に接地電位を維持していて、前記アドレス区間のみで動作して対向放電を行うため、前記リセット区間で所望の大きさの壁電荷が前記Ｘ電極に蓄積されるように制御するのが難しい。従って、対向放電が発生できるように十分な時間と電圧を有するＸ、Ｙ電極の波形が提供されなければならない。
【００１３】
このような通常の駆動波形は、所定の解像度（ＸＧＡ級）以下のプラズマディスプレイパネル素子を実現する場合は問題がないが、より高い解像度（ＳＸＧＡ級、フルＨＤ級）を有するプラズマディスプレイパネル素子を実現する場合は、輝度が低くなったり、階調表現が難しくなる原因となる。
【００１４】
すなわち、パネルの解像度が高くなるにつれて、リセット区間とアドレス区間とサステイン区間とに分けられたサブフィールドの各割当領域のうち、前記アドレス区間が増加し、これにより、前記サステイン区間が減少する。これは前記サステイン区間で制御しなければならない階調表現時間が減少して輝度が大幅に低くなることを意味する。
【００１５】
つまり、前述した一般的なプラズマディスプレイ素子駆動方式は、アドレス区間でＸ電極とＹ電極を駆動して対向放電を行うことから開始し、対向放電のためには放電電圧を印加する前にＸ電極に十分な正電荷が蓄積されていなければならないが、接地電位を維持するＸ電極に蓄積される壁電荷の大きさを制御するのが難しい。このため、対向放電時、十分な時間の波形と放電電圧を印加する必要があり、大型パネルの場合、サステイン区間が減少して輝度が低くなり、Ｘ電極の壁電荷の不足による誤放電が発生することがある。
【発明の開示】
【発明が解決しようとする課題】
【００１６】
本発明は、このような問題を解決するためになされたもので、アドレス波形によるアドレス放電時間を減らして輝度を改善し、誤放電による暗放電を防止してコントラストを改善できるようにしたプラズマディスプレイパネル駆動方法を提供することを目的とする。
【００１７】
本発明の他の目的は、アドレス区間を減少させて階調表現のためのサステイン区間を増加させたプラズマディスプレイパネル駆動方法を提供することにある。
【００１８】
本発明のさらに他の目的は、正電荷を効果的に蓄積又は維持できるようにしたプラズマディスプレイパネル駆動方法を提供することにある。
【００１９】
本発明のさらに他の目的は、暗放電によるコントラスト性能の低下を防止できるようにしたプラズマディスプレイパネル駆動方法を提供することにある。
【００２０】
本発明のさらに他の目的は、急激な電荷の移動を防止すると共に消費電力を減らすようにしたプラズマディスプレイパネル駆動方法を提供することにある。
【課題を解決するための手段】
【００２１】
上記目的を達成するために、本発明の一実施形態によるプラズマディスプレイパネル駆動方法は、アドレス電圧を印加するアドレス電極（Ｘ）、前記アドレス電極と対向放電するスキャン電極（Ｙ）、及び前記スキャン電極と面放電する共通電極（Ｚ）を備えたプラズマディスプレイパネルの駆動方法において、前記アドレス電極（Ｘ）に、アドレス電圧を印加する前に、壁電荷を形成するための所定レベルのバイアス電圧をパルス状に印加する段階を含むことを特徴とする。
【００２２】
また、上記目的を達成するために、本発明の一実施形態によるプラズマディスプレイパネル駆動方法は、アドレス電極（Ｘ）にアドレス電圧を印加する前に、壁電荷を形成するために負電圧を所定時間印加する段階を含むことを特徴とする。
【００２３】
さらに、上記目的を達成するために、本発明の一実施形態によるプラズマディスプレイパネル駆動方法は、リセット区間でスキャン電極（Ｙ）に正電圧が印加される期間中に、暗放電を防止するためにアドレス電極（Ｘ）に正電圧を所定時間印加する段階を含むことを特徴とする。
【００２４】
さらに、上記目的を達成するために、本発明の一実施形態によるプラズマディスプレイパネル駆動方法は、バイアス電圧の印加時、該当電圧の波形が傾斜を有して徐々に増加又は減少する電圧波形を示すように波形を調節する段階を含むことを特徴とする。
【００２５】
上記目的を達成するために、本発明の他の実施形態によるプラズマディスプレイパネル駆動方法は、パネルを構成する全てのセルの壁電荷を均一に初期化するリセット段階と、スキャン電極（Ｙ）にスキャン電圧を順次印加しながら駆動されるセルを選択するアドレス段階と、前記アドレス段階で選択されたセルの放電を維持するサステイン段階とを含み、前記アドレス段階で、前記スキャン電極（Ｙ）にスキャン電圧が印加される前にアドレス電極（Ｘ）に負電圧レベルのバイアスを印加することを特徴とする。
【発明の効果】
【００２６】
本発明によるプラズマディスプレイパネル駆動方法は、アドレス電極（Ｘ電極）に適切なバイアス電圧を印加するだけでアドレス速度を高速化でき、これにより、輝度を向上でき、コントラスト性能を改善できるという効果がある。
【００２７】
また、本発明によるプラズマディスプレイパネル駆動方法は、パネルの解像度によって増加するスキャン区間での単位アドレス放電時間を減らして、高い解像度を有する大型パネルに適用した場合、階調表現のためのサステイン区間を最大限確保して輝度及び階調表現性能を改善できるという効果がある。
【００２８】
さらに、本発明によるプラズマディスプレイパネル駆動方法は、解像度の増加によってスキャンラインをダブルスキャン方式で駆動しなければならなかった高い解像度の大型パネルに適用した場合、スキャンラインをシングルスキャン方式で駆動しても十分な輝度を提供でき、駆動方式及び駆動回路の変更を低減できるという効果がある。
【００２９】
さらに、本発明によるプラズマディスプレイパネル駆動方法は、スキャン電極にリセットパルスが印加されるとき、アドレス電極に正のバイアス電圧を印加して高いリセットパルスによる暗放電を防止することにより、コントラスト性能を向上できるという効果がある。
【００３０】
さらに、本発明によるプラズマディスプレイパネル駆動方法は、アドレス電極にアドレス波形を提供する前に負及び／又は正のバイアス電圧波形を印加し、かつ該当波形の開始及び／又は終了部分が傾斜を有するようにすることにより、効果的な壁電荷の形成や電力管理を可能にするという効果がある。
【発明を実施するための最良の形態】
【００３１】
図１は本発明の一実施形態の駆動波形を示す図であり、図示のように、Ｘ電極に実際にアドレス電圧が出力される前に負のバイアス電圧Ｂを所定時間さらに追加したものである。ここで、アドレス電圧とは、サステイン区間で点灯させるセルを選択するためにアドレス電極に印加する電圧である。
【００３２】
リセット区間では、以前のサブフレーム（ＳＦ）のサステイン区間で変化した各電極の壁電荷が初期化され、アドレス区間が開始すると、理想的には、前記リセット区間のランプ波形により、Ｙ電極は若干の負電荷が残留する状態になり、Ｚ電極はアドレス区間で持続的に提供される正電圧により負電荷が蓄積された状態になり、Ｘ電極は前記Ｙ−Ｚ電極のリセット区間の動作により押し出された正電荷が蓄積された状態になる。このように蓄積された壁電荷によるＸ電極とＹ電極間の壁電圧は、対向放電のために提供される放電電圧（Ａ時点でのＸ−Ｙ間の電圧）を高くする役割を果たし、その結果である合計の電圧値が放電開始電圧レベル以上でなければならない。すなわち、放電開始電圧レベルよりアドレス電圧と壁電圧とを加算した電圧の方が大きくなければならない。
【００３３】
しかし、前記Ｘ電極は、実際にアドレスを行う場合を除いては、常に接地電位を維持するため、該当電極に蓄積される壁電荷を直接制御できない。すなわち、アドレス区間が開始した場合、Ｘ電極には十分な量の正電荷が蓄積されていなければならないが、これを保障するのが難しい。従って、アドレス時点Ａで比較的十分な大きさと時間でアドレス電圧を印加しなければならないため、高速駆動が不可能であり、大型パネルに従来の駆動方式をそのまま適用すると輝度が低くなる。
【００３４】
本発明においては、Ｘ電極に蓄積される壁電荷を最適の状態に維持するために、実際にアドレスにより対向放電が行われる時点Ａの前に所定時間の負電圧をバイアス電圧Ｂとして印加する。前記バイアス電圧Ｂは、実際にアドレスが開始する直前に適用することが好ましく、Ｙ−Ｚ電極の電圧が変化するアドレス区間が開始した後に適用することが好ましい。従って、前記バイアス電圧Ｂは、サブフレームの種類によって若干異なるが、約０．５〜５０μｓの時間提供することが好ましく、このときの電圧レベルは約１０〜５０Ｖの負電圧であることが好ましい。
【００３５】
図示の場合は、スイッチ手段を利用した制御により、直ちに目標バイアス電圧レベル又は接地レベルを印加する基本的な信号波形を有するようにバイアス電圧を提供するものであり、この場合、壁電荷の移動が迅速に行われる。
【００３６】
すなわち、Ｘ電極とＹ電極間の対向放電のために、Ｘ電極には所定レベル以上の正電荷が蓄積されていなければならないが、前記バイアス電圧Ｂにより前記Ｘ電極が正電荷を蓄積するように直接制御できるため、対向放電のために実際にアドレス時点Ａに印加するＸ−Ｙ電極間の放電電圧を下げることができ、該当電圧の持続時間をも減らすことができる。これはアドレス区間全体の駆動時間を大幅に短縮でき、サステイン区間を増加させて、輝度及び階調特性を向上させ、高解像度のパネルもシングルスキャンで駆動させることができる。
【００３７】
図２及び図３は本発明の他の実施形態の駆動波形を示す図であり、これらの場合も図１と同様に、Ｘ電極に負電圧レベルのバイアスを印加するもので、実際にアドレスのために放電電圧を印加（Ａ）する前に所定時間のバイアス電圧Ｃ、Ｄを印加して、Ｘ電極が正電荷を蓄積するように直接制御する。ここで、バイアス電圧の印加を開始又は終了するとき、該当区間での信号波形が正又は負の傾斜を有するランプ状になるようにして、Ｘ電極に蓄積される正電荷がバイアス電圧の印加を開始又は終了する時点での波形の変化を緩やかにする点だけ異なる例である。このようなランプ区間を有する信号波形は、駆動電圧を提供するドライバのエネルギー回収回路を利用して発生させることができ、バイアス電圧の印加を開始又は終了するとき、約１〜１０Ｖ／μｓの傾斜を有する信号波形を発生させることが好ましい。すなわち、公知のエネルギー回収回路を利用して比較的簡単な構成でランプ波形を提供し、これにより、電力消費も多少減らすことができる。
【００３８】
図２に示すバイアスの印加による信号波形Ｃは、負電圧が漸進的に増加してＸ電極周辺の電荷が急激に運動しないようにして正電荷が蓄積されるようにする場合であり、図３に示すバイアスの印加による信号波形Ｄは、Ｘ電極に目的とする正電荷が蓄積されるようにした後、漸進的に印加された負電圧を接地電位に変えて、蓄積されている正電荷がそのまま維持されるようにする場合である。
【００３９】
また、所定区間に提供されるバイアス電圧による信号波形を、漸進的に増加して所定時間電位を維持した後に漸進的に減少するような台形状（ランプ−矩形−ランプ波）にすることもできるが、Ｘ電極に所定の制限時間内に最大限の正電荷を蓄積するためには、図２及び図３のような波形（ランプ−矩形波）又は図１のような波形（矩形波）を利用することが好ましい。
【００４０】
前述のように、Ｘ電極に負電圧レベルのバイアスを提供して対向放電時に壁電圧を高くすることができ、さらに、前記Ｘ電極に正電圧レベルのバイアスを提供してコントラスト性能を向上させることができる。
【００４１】
図４はリセット区間のうちＹ電極に高い正電圧が印加される期間のうち最大の電圧が印加される時点を含む区間に、正電圧レベルのバイアスによる信号波形ＥをＸ電極がさらに提供する場合を示す。また、前記正電圧レベルのバイアスによる信号波形Ｅと対向放電のためのアドレス電圧による信号波形Ａとの間の区間に、壁電荷を生成するための負電圧レベルのバイアスによる信号波形Ｂを生成する。
【００４２】
前記正電圧レベルのバイアスによる信号波形Ｅは、Ｙ電極のランプ波形の高い電圧によりＸ−Ｙ間に発生し得る暗放電を防止するためのもので、約４０〜５０Ｖの電圧レベルで正のバイアス電圧をＸ電極に印加すると（Ｅ）、Ｙ電極との電圧差が低くなって暗放電が発生せず、これにより、コントラスト性能を改善できる。この場合は、比較的長いＹ電極のリセット電圧提供時間（ランプ区間）内にバイアス電圧が印加されればよいため、エネルギー回収回路を利用して正のバイアス電圧による信号波形が傾斜を有するように提供する。
【００４３】
このときの傾斜も約１〜１０Ｖ／μｓが好ましく、前記正のバイアス電圧を持続する時間は、サブフレームによって異なるが、約０．５〜１００μｓが好ましい。しかし、この場合も、エネルギー回収回路を利用せずに直接スイッチングして所望の電圧を直接提供することもでき、これは前記負のバイアス電圧を提供する波形の形状によって決定される。すなわち、傾斜を有する負電圧のバイアス波形を提供するために、Ｘ電極に電圧を印加するドライバ回路部にエネルギー回収回路を構成した場合、これを利用して前記正のバイアス波形も傾斜を有する波形で提供し、負電圧のバイアス波形をスイッチングによる単純電圧の提供による矩形波で提供する場合、前記Ｘ電極に電圧を印加するドライバ回路部にエネルギー回収回路を構成しないため、この場合は、前記正のバイアス波形も矩形波の形状で提供する。しかし、設計者の意図によって、エネルギー回路回路を構成した後、前記正のバイアスを提供するときだけ傾斜を有する波形を提供することもできる。
【００４４】
前述のように、多様なレベルのバイアス電圧及び既存のアドレス電圧を提供するために、前記Ｘ電極の駆動部は、制御信号により所定レベルのアドレス波形を選択的に提供する手段とは別に、前記アドレス電圧を提供する前に所定レベルのバイアス電圧を選択的に提供する手段をさらに備えなければならない。また、前記バイアス電圧による信号波形の形状は、急速な電圧の上昇と下降はもちろん、必要な場合、傾斜を有する電圧の上昇と下降が実施されなければならないため、バイアス電圧及び接地電圧を直接印加するスイッチ手段と、傾斜を有する信号波形を提供するためのエネルギー回収手段を既存のＸ電極の駆動部にさらに追加できる。
また、前述のような構成及び動作方式に基づいて対向放電のための前記Ｘ電極のアドレス電圧を低減でき、Ｘ電極の場合、許容電力の低いドライバを駆動部に適用できる。
【００４５】
上述したように、本実施形態に係るプラズマディスプレイパネル駆動方法によれば、アドレス波形を提供する前にアドレス電極（Ｘ電極）にバイアス電圧波形をさらに提供して前記アドレス電極に壁電荷を蓄積させることにより、実際のアドレス波形によるアドレス放電時間を減らして輝度を改善し、誤放電による暗放電を防止してコントラストを改善できる。
【００４６】
本実施形態に係るプラズマディスプレイパネル駆動方法によれば、アドレス波形を提供する直前にアドレス電極に負電圧を印加して前記アドレス電極に所望の大きさの正電荷を強制蓄積させることにより、アドレス区間を減少させて階調表現のためのサステイン区間を増加させることができる。
【００４７】
本実施形態に係るプラズマディスプレイパネル駆動方法によれば、アドレス波形を提供する前にアドレス電極に傾斜を有して増減する波形の負電圧を印加して前記アドレス電極に正電荷を直接制御方式で蓄積させることにより、前記傾斜により正電荷を効果的に蓄積又は維持できる。
【００４８】
本実施形態に係るプラズマディスプレイパネル駆動方法によれば、、スキャン電極にリセット波形が提供される区間中にアドレス電極に正電圧の第２バイアス電圧を印加して、前記スキャン電極に印加される高いリセット電圧による暗放電を防止することにより、暗放電によるコントラスト性能の低下を防止できる。
【００４９】
本実施形態に係るプラズマディスプレイパネル駆動方法によれば、スキャン電極にリセット波形が提供される区間中にアドレス電極に正電圧の第２バイアス電圧を印加し、このとき、前記第２バイアス電圧は傾斜を有して増減するようにすることにより、急激な電荷の移動を防止すると共に消費電力を減らすようにしたプラズマディスプレイパネル駆動方法を提供することにある。
【図面の簡単な説明】
【００５０】
【図１】本発明の一実施形態によるパネル駆動方式を示す波形図である。
【図２】本発明の他の実施形態によるパネル駆動方式を示す波形図である。
【図３】本発明のさらに他の実施形態によるパネル駆動方式を示す波形図である。
【図４】本発明のさらに他の実施形態によるパネル駆動方式を示す波形図である。
【図５】一般的なプラズマディスプレイパネル素子を示す断面図である。
【図６】一般的なパネル駆動方式を示す波形図である。
【符号の説明】
【００５１】
１  下部ガラス基板
２  遮断膜
３  アドレス電極
４  下板誘電体
５  隔壁
６  蛍光体
１１  上部ガラス基板
１２  透明電極（ＩＴＯ電極）
１３  バス電極
１４  上板誘電体
１５  保護膜
【図１】
2007041597.tif 000003
【図２】
2007041597.tif 000004
【図３】
2007041597.tif 000005
【図４】
2007041597.tif 000006
【図５】
2007041597.tif 000007
【図６】
2007041597.tif 000008